(57)【要約】中空紐状物の外周面に、長尺方向に連続して延在するスリーブ状被覆層を有し、かつ前記被覆層が、ほぼ同一形状に２つに分割され、それぞれが取り剥がし可能であることを特徴とするフリーサイズ網押え紐状部材である。網戸用サッシ枠などの窓枠に網を張設する際に用いられ、簡単な操作で３種の網固定用溝の溝幅に対応させることができる特徴を有する。
2008093428.tif 000002
【特許請求の範囲】
【請求項１】
中空紐状物の外周面に、長尺方向に連続して延在するスリーブ状被覆層を有し、かつ前記被覆層が、ほぼ同一形状に２つに分割され、それぞれが取り剥がし可能であることを特徴とするフリーサイズ網押え紐状部材。
【請求項２】
ほぼ同一形状に２つに分割されたスリーブ状被覆層が、長尺方向に対する垂直軸に対して、ほぼ対称に配設された構造を有する請求の範囲１に記載のフリーサイズ網押え紐状部材。
【請求項３】
ほぼ同一形状に２つに分割されたスリーブ状被覆層が、長尺方向に対する垂直軸に対して、非対称に配設され、かつ断面形状が渦巻状である請求の範囲１に記載のフリーサイズ網押え紐状部材。
【請求項４】
ほぼ同一形状に２つに分割されたスリーブ状被覆層それぞれの外周面に、長尺方向に連続して延在する楔型凹条溝を１つ以上設け、かつ各スリーブ状被覆層における前記凹条溝の開口幅の合計が、各スリーブ状被覆層の外周長の５０％以下である請求の範囲１〜３のいずれかに記載のフリーサイズ網押え紐状部材。
【請求項５】
ほぼ同一形状に２つに分割されたスリーブ状被覆層それぞれの外周面に、長尺方向に連続して延在する高さ０．１〜０．３ｍｍの凸条部を１つ以上設けてなる請求の範囲１〜３のいずれかに記載のフリーサイズ網押え紐状部材。
【請求項６】
中空紐状物の外周面に、長尺方向に連続して延在する高さ０．１〜０．３ｍｍの凸条部を１つ以上設けてなる請求の範囲１〜５のいずれかに記載のフリーサイズ網押え紐状部材。
【請求項７】
中空紐状物の外径が３．５ｍｍであり、スリーブ状被覆層を含む網押え紐状部材全体の外径が５．５ｍｍである請求の範囲１〜６のいずれかに記載のフリーサイズ網押え紐状部材。
【請求項８】
中空紐状物及びスリーブ状被覆層それぞれの材質が、同一又は異なる軟質高分子材料である請求の範囲１〜７のいずれかに記載のフリーサイズ網押え紐状部材。
【請求項９】
軟質高分子材料が、軟質熱可塑性樹脂である請求の範囲８に記載のフリーサイズ網押え紐状部材。
【発明の詳細な説明】
【技術分野】
【０００１】
本発明はフリーサイズ網押え紐状部材に関し、さらに詳しくは、網戸用サッシ枠などの窓枠に網を張設する際に用いられ、簡単な操作で３種の網固定用溝幅に対応させることができるフリーサイズ網押え紐状部材に関するものである。
【背景技術】
【０００２】
従来、網戸をサッシに固定する方法としては、塩化ビニル及び軟質熱可塑性樹脂を主原料とした弾力性のあるゴム紐を使用し、網戸用サッシの外面に彫られてある溝に網を置き、該ゴム紐（以下、網押え紐状部材と称する。）で固定する方法が主として採用されている。
しかし、前記網戸用サッシの網固定用溝は、網戸の大きさやサッシメーカ製造年月などにより、溝幅がさまざまである。それに対応するべく市場では、その最大公約数値を採り２．８ｍｍ、３．５ｍｍ、４．５ｍｍ、５．５ｍｍ及び６．８ｍｍの５種類の網押え紐状部材が市販されており、それぞれの溝幅に対応した太さのものが使用されている。また、この網押え紐状部材は、通常中空紐状物の表面に複数本のスジ状溝が形成されている。網を網押え紐状部材により網を固定用溝に押込み固定する場合、網押え紐状部材の表面に設けられたスジ状溝により網と網押え紐状部材の摩擦抵抗によって網が擦り抜けるのが防止される。
ところで、網が破損したり、穴が開いたりなどして、新しい網に張替える際には、網押え紐状部材として、該当する溝幅に対応する太さのものを用いることが必要であるが、サッシの網固定用溝の幅は、前記のように各種のものがあり、張替えを行うサッシ網戸枠によっては、溝幅が異なる場合がある。そのため、事前に溝幅を確認しておくか、溝幅に対応する各種の太さの網押え紐状部材を用意することが必要であるなどの問題があった
このような問題に対処するために、中空紐状物の外周面上に、長尺方向に連続して延長する０．３ｍｍ〜１．５ｍｍの高さを有する少なくとも１本の断面形状が丸形状の線状突起物が該突起物より細幅のネック部を介して一体に配設されて形成されており、該線状突起物はネック部から引き剥がし離脱可能に形成されていることを特徴とする網押え用紐状物が開示されている（例えば、特許文献１参照）。この技術においては、網押え用紐状物は、中空紐状物の外周面上に設けられた線状突起物を、該外周面上から適宜引き剥がすことによって、使用される網固定用溝幅に応じた太さのものとして、用いられる。
しかしながら、この場合、網押え用紐状物を、網固定用溝幅に応じた太さにするためには、通常、多数回の引き剥がし操作が行われ、作業が煩雑である。
【特許文献１】特許第３７８５０９７号公報
【発明の開示】
【０００３】
本発明は、このような事情のもとで、網戸用サッシ枠などの窓枠に網を張設する際に用いられ、簡単な操作で３種の網固定用溝の溝幅に対応させることができるフリーサイズ網押え紐状部材を提供することを目的としてなされたものである。
本発明者らは、前記目的を達成するために鋭意研究を重ねた結果、中空紐状物の外周面に、長尺方向に沿って、ほぼ同一形状に２つに分割され、それぞれが取り剥がし可能なスリーブ状被覆層を設けてなる部材が、その目的に適合し得ることを見出し、この知見に基づいて本発明を完成するに至った。
すなわち、本発明は、
［１］中空紐状物の外周面に、長尺方向に連続して延在するスリーブ状被覆層を有し、かつ前記被覆層が、ほぼ同一形状に２つに分割され、それぞれが取り剥がし可能であることを特徴とするフリーサイズ網押え紐状部材、
［２］ほぼ同一形状に２つに分割されたスリーブ状被覆層が、長尺方向に対する垂直軸に対して、ほぼ対称に配設された構造を有する上記［１］項に記載のフリーサイズ網押え紐状部材、
［３］ほぼ同一形状に２つに分割されたスリーブ状被覆層が、長尺方向に対する垂直軸に対して、非対称に配設され、かつ断面形状が渦巻状である上記［１］項に記載のフリーサイズ網押え紐状部材、
［４］ほぼ同一形状に２つに分割されたスリーブ状被覆層それぞれの外周面に、長尺方向に連続して延在する楔型凹条溝を１つ以上設け、かつ各スリーブ状被覆層における前記凹条溝の開口幅の合計が、各スリーブ状被覆層の外周長の５０％以下である上記［１］〜［３］項のいずれかに記載のフリーサイズ網押え紐状部材、
［５］ほぼ同一形状に２つに分割されたスリーブ状被覆層それぞれの外周面に、長尺方向に連続して延在する高さ０．１〜０．３ｍｍの凸条部を１つ以上設けてなる上記［１］〜［３］項のいずれかに記載のフリーサイズ網押え紐状部材、
［６］中空紐状物の外周面に、長尺方向に連続して延在する高さ０．１〜０．３ｍｍの凸条部を１つ以上設けてなる上記［１］〜［５］項のいずれかに記載のフリーサイズ網押え紐状部材、
［７］中空紐状物の外径が３．５ｍｍであり、スリーブ状被覆層を含む網押え紐状部材全体の外径が５．５ｍｍである上記［１］〜［６］項のいずれかに記載のフリーサイズ網押え紐状部材、
［８］中空紐状物及びスリーブ状被覆層それぞれの材質が、同一又は異なる軟質高分子材料である上記［１］〜［７］項のいずれかに記載のフリーサイズ網押え紐状部材、及び
［９］軟質高分子材料が、軟質熱可塑性樹脂である上記［８］項に記載のフリーサイズ網押え紐状部材、
を提供するものである。
【図面の簡単な説明】
【０００４】
Ｆｉｇ．１は本発明の網押え紐状部材Ｉの１例を示す断面図、Ｆｉｇ．２は本発明の網押え紐状部材ＩＩの１例を示す断面図、Ｆｉｇ．３は４．５ｍｍ溝幅の網固定用溝に対応できる網押え紐状部材の１例を示す断面図、Ｆｉｇ．４は３．５ｍｍ溝幅の網固定用溝に対応できる網押え紐状部材の１例を示す断面図である。図中符号１及び１１は中空紐状物、２及び１２は中空、３ａ、３ｂ、１４ａ及び１４ｂはスリーブ状被覆層、４ａ及び４ｂは楔型凹条溝、１０は網押え紐状部材Ｉ、１３、１５ａ及び１５ｂは凸条部、２０は網押え紐状部材ＩＩ、３０及び４０は網押え紐状部材である。
【発明を実施するための最良の形態】
【０００５】
本発明のフリーサイズ網押え紐状部材（以下、単に網押え紐状部材と称することがある。）は、中空紐状物の外周面に、長尺方向に連続して延在するスリーブ状被覆層を有し、かつ前記被覆層が、ほぼ同一形状に２つに分割され、それぞれが取り剥がし可能であることを特徴とする。
現在、網押え紐状部材は、２．８ｍｍ、３．５ｍｍ、４．５ｍｍ、５．５ｍｍ、６．８ｍｍの５種の寸法のものが通常よく使用されている。
このフリーサイズ網押え紐状部材は、３種の網固定用溝幅に対応させることができ、この３種の網固定用溝幅としては、上記５種の中の３種のスリーサイズを所望によって選択することができる。好ましくは、通常よく用いられる３．５ｍｍ、４．５ｍｍ及び５．５ｍｍの３種を挙げることができる。この場合、中空紐状物の外径は３．５ｍｍ、ほぼ同一形状に２つに分割されたスリーブ状被覆層の厚さは、それぞれ１ｍｍ、スリーブ状被覆層を含む網押え紐状部材全体の外径は５．５ｍｍとなる。すなわち、当該網押え紐状部材は、まず、そのままの状態で、５．５ｍｍ溝幅の網固定用溝に対応することができ、次に、２つの分割されたスリーブ状被覆層の一方を取り剥がすことにより、４．５ｍｍ溝幅の網固定用溝に対応させることができる。さらに、残りのスリーブ状被覆層を取り剥がすことにより、３．５ｍｍ溝幅の網固定用溝に対応させることができる。
さらに、本発明網押え紐状部材は、所望によって、２．８ｍｍ、３．５ｍｍ、４．５ｍｍ又は４．５ｍｍ、５．５ｍｍ、６．８ｍｍの連続する３種の寸法を選択するのが望ましい。連続した３寸法を選択することによって、網押え紐状部材の所望寸法が上記フリーサイズの定型寸法の中間であった場合でも、軟質高分子材料の変形によって、どちらかの寸法によって、網押え紐状部材を使用でき、３種の寸法の間にあるものに対しては、すべて対応することができる。
なお、後で説明するように、中空紐状物及びスリーブ状被覆層の外周面に、それぞれ凸条部が設けられている場合、中空紐状物の外径は、該凸条部を含む最大外径を指し、スリーブ状被覆層の厚さ及び当該網押え紐状部材の外径は、それぞれ該凸条部を含む最大厚さ及び最大外径を指す。
本発明の網押え紐状部材に用いられる中空紐状物は、保持力の観点から、断面形状が円形のものであることが好ましく、また中空部の直径は、溝幅に柔軟に対応できる必要性の観点から０．８〜１．８ｍｍ程度であることが好ましい。
本発明の網押え紐状部材は、（１）ほぼ同一形状に２つに分割されたスリーブ状被覆層が、長尺方向に対する垂直軸に対して、ほぼ対称に配設された構造を有する部材（以下、網押え紐状部材Ｉと称する。）、及び（２）ほぼ同一形状に２つに分割されたスリーブ状被覆層が、長尺方向に対する垂直軸に対して、非対称に配設され、かつ断面形状が渦巻状である部材（以下、網押え紐状部材ＩＩと称する。）に分けることができる。
これらの網押え紐状部材Ｉ及びＩＩにおいては、網を網押え紐状部材により、網固定用溝に押込み固定する場合、該紐状部材の摩擦抵抗によって、網が擦り抜けるのを防止するために、２つに分割されたスリーブ状被覆層それぞれの外周面に、長尺方向に連続して延在する楔型凹条溝を１つ以上設けることができ、そして各スリーブ状被覆層における前記凹条溝の開口幅の合計が、該スリーブ状被覆層の強度の観点から、各スリーブ状被覆層の外周長の５０％以下とすることが好ましく、また、楔型凹条溝の深さは、同様の理由から、スリーブ状被覆層の厚さの６０％以下とすることが好ましい。あるいは、２つに分割されたスリーブ状被覆層それぞれの外周面に、長尺方向に連続して延在する高さ０．１〜０．３ｍｍの凸条部を１つ以上設けることが好ましい。
さらに、同様の理由から、中空紐状物の外周面に、長尺方向に連続して延在する高さ０．１〜０．３ｍｍの凸条部を１つ以上設けることが好ましい。
本発明の網押え紐状部材における中空紐状物及びスリーブ状被覆層の材質としては、軟質高分子材料が好ましく、特に軟質熱可塑性樹脂を好適に用いることができる。また、中空紐状物とスリーブ状被覆層の材質は、同一であってもよいし、異なっていてもよい。
前記軟質熱可塑性樹脂としては、例えば、可塑剤を配合して軟化した高分子材料からなる軟質熱可塑性樹脂、ハードセグメントがポリスチレン、ソフトセグメントがポリブタジエン又は水素添加ポリブタジエンなどで構成されているスチレン系軟質熱可塑性樹脂；例えばハードセグメントがポリオレフィン、ソフトセグメントがエチレン−プロピレン系ゴムなどで構成されているオレフィン系軟質熱可塑性樹脂；例えばハードセグメントがジイソシアネートと短鎖グリコールからなるポリマー鎖、ソフトセグメントがジイソシアネートとポリオールからなるポリマー鎖などで構成されているウレタン系軟質熱可塑性樹脂；例えばハードセグメントが高融点、高結晶性の芳香族ポリエステル、ソフトセグメントがガラス転移温度−７０℃以下の非晶性ポリエーテルなどで構成されているポリエステル系軟質熱可塑性樹脂；例えばハードセグメントがナイロン系ポリアミド、ソフトセグメントがポリエステル又はポリオールなどで構成されているポリアミド系軟質熱可塑性樹脂；例えばハードセグメントがフッ素樹脂、ソフトセグメントがフッ素ゴムなどで構成されているフッ素系軟質熱可塑性樹脂；その他軟質塩化ビニル系樹脂（可塑剤配合）よりなる塩化ビニル系軟質熱可塑性樹脂などを用いることができる。これらの軟質熱可塑性樹脂の中では、塩化ビニル及び軟質熱可塑性樹脂が好適である。
【実施例】
【０００６】
次に、本発明の網押え紐状部材の好ましい態様について、添付図面に従って説明する。
Ｆｉｇ．１は、本発明の網押え紐状部材Ｉの断面図であって、網押え紐状部材Ｉ１０は、中空２（直径１．２ｍｍ）を有する中空紐状物１（外径３．５ｍｍ）の外周面上に、２つに分割されたスリーブ状被覆層３ａ及び３ｂ（それぞれ厚さ１ｍｍ）が、長尺方向に対する垂直軸に対して、対称に配設された構造を有している。また、スリーブ状被覆層３ａ及び３ｂは、それぞれ深さ０．５ｍｍの楔型凹条溝４ａ及び４ｂを３個ずつ有している。
この網押え紐状部材Ｉは、そのままの状態で、５．５ｍｍ溝幅の網固定用溝に対応することができ、スリーブ状被覆層３ａを取り剥がすことにより、４．５ｍｍ溝幅の網固定用溝に対応させることができ、さらに、スリーブ状被覆層３ｂを取り剥がすことにより、３．５ｍｍ溝幅の網固定用溝に対応させることができる。
前記網押え紐状部材Ｉは、中空紐状物及びスリーブ状被覆層の形成材料として、塩化ビニル系軟質熱可塑性樹脂［融点１３０〜１６０℃］を用い、押出し成形法により、以下の手順で製作することができる。
先端に中空紐状物１形成用のダイスを取り付けた押出成形機、先端にスリーブ状被覆層３ａ形成用ダイスを取付けた押出成形機及び先端にスリーブ状被覆層３ｂ形成用ダイスを取り付けた押出成形機の３種を用いて共押出しすることにより、目的の網押え紐状部材Ｉを製作した。なお、中空紐状物とスリーブ状被覆層の材料が異なる場合、中空紐状物とスリーブ状被覆層との接合面に、適当な接着剤層を介在させることができる。
Ｆｉｇ．２は、本発明の網押え紐状部材ＩＩの断面図であって、網押え紐状部材ＩＩ２０は、中空１２（直径１．４ｍｍ）及び外周面に高さ０．２５ｍｍの凸条部１３を有する中空紐状物１１の外周面上に、２つに分割されたスリーブ状被覆層１４ａ及び１４ｂが、長尺方向に対する垂直軸に対して、非対称に配設され、かつ断面形状が渦巻状であって、各スリーブ状被覆層それぞれの外周面に高さ０．２５ｍｍの凸条部１５ａ及び１５ｂが形成された構造を有している。
この網押え紐状部材ＩＩは、そのままの状態で、５．５ｍｍ溝幅の網固定用溝に対応することができる。
Ｆｉｇ．３は、４．５ｍｍ溝幅の網固定用溝に対応できる網押え紐状部材の断面図であって、網押え紐状部材３０は、前記Ｆｉｇ．２で示される網押え紐状部材ＩＩ２０から、スリーブ状被覆層１４ａを取り剥がした構造を有している。
Ｆｉｇ．４は、３．５ｍｍ溝幅の網固定用溝に対応できる網押え紐状部材の断面図であって、網押え紐状部材４０は、前記Ｆｉｇ．３で示される網押え紐状部材３０から、スリーブ状被覆層１４ｂを取り剥がした構造を有している。
前記網押え紐状部材ＩＩは、中空紐状物及びスリーブ状被覆層の形成材料として、前述の網押え紐状部材Ｉの場合と同様に、塩化ビニル系軟質熱可塑性樹脂を用いて、３種の押出成形機を使用する共押出し成形により、製作した。
【産業上の利用可能性】
【０００７】
本発明のフリーサイズ網押え紐状部材は、網戸用サッシ忰などの窓枠に網を張設する際に用いられ、簡単な操作で３種の網固定用溝の溝幅に対応させることができ、利便性に優れている。
【図１】
2008093428.tif 000003
【図２】
2008093428.tif 000004
【図３】
2008093428.tif 000005
【図４】
2008093428.tif 000006
【国際調査報告】
2008093428.tif 000007
2008093428.tif 000008